(57)【要約】【課題】  単一の操作で洗濯バサミ保持具を腕に装着して腕の任意の箇所に安定的に維持でき、同じく単一の操作で外すことができる洗濯バサミ保持具を提供する。【解決手段】  洗濯バサミ保持具であって、外側に環状の洗濯バサミ保持部と、この洗濯バサミ保持部の内側に延在する円板状の取付部とから構成され、この取付部は中央近傍に貫通孔と略放射状のスリットを有して弾性を有する材料で形成され、この洗濯バサミ保持部が取付部に対してオフセットし、弾性によりこの貫通孔の内径が変化可能な洗濯バサミ保持具。【選択図】図１０
2018057562.tif 000002
【特許請求の範囲】
【請求項１】
洗濯バサミ保持具であって、外側に環状の洗濯バサミ保持部と、この洗濯バサミ保持部の内側に延在する円板状の取付部とから構成され、この取付部は中央近傍に貫通孔と略放射状のスリットを有して弾性を有する材料で形成され、この洗濯バサミ保持部が取付部に対してオフセットし、弾性によりこの貫通孔の内径が変化可能な洗濯バサミ保持具。
【請求項２】
洗濯バサミ保持具であって、外側に環状の洗濯バサミ保持部と、この洗濯バサミ保持部の内側に延在する円板状の取付部とから構成され、この取付部は中央近傍に貫通孔と略放射状のスリットを有して弾性を有する材料で形成され、弾性によりこの貫通孔の内径が変化可能であり、直径５０ｍｍのボール紙製の円筒を貫通孔に通した場合の摺動抵抗値が2N以上で10N以下である洗濯バサミ保持具。
【請求項３】
洗濯バサミ保持具であって、外側に板状で環状の洗濯バサミ保持部と、この洗濯バサミ保持部の内側に延在する円板状の取付部とから構成され、この取付部は中央近傍に貫通孔と略放射状のスリットを有して弾性を有する材料で形成され、弾性によりこの貫通孔の内径が変化可能であり、直径７０ｍｍのボール紙製の円筒を貫通孔に通した場合の抵抗値が15N以下である洗濯バサミ保持具。
【請求項４】
請求項１から請求項３の何れかの洗濯バサミ保持具の洗濯バサミ保持部に磁石を設けたことを特徴とする洗濯バサミ保持具。
【発明の詳細な説明】
【技術分野】
【０００１】
この発明は、洗濯物を干すために使用する洗濯バサミを保持・収納する洗濯バサミ保持具に関する。
【背景技術】
【０００２】
従来、洗濯バサミは収納ケース等に入れて物干し場の床等に置き、洗濯物を物干し竿に掛けてから床上の洗濯バサミを取り上げて洗濯物を挟んでいた。この為、しゃがんだり立ち上がったりする動作が多く、非効率な動作を伴っていた。また、洗濯場所を移動するたびに、収納ケースも移動しなければならなかった。この為、洗濯バサミ保持具を腕に装着して、無駄な動きを排除した次の従来技術が開示されていた。
【先行技術文献】
【特許文献】
【０００３】
【特許文献１】特開２００３−１１７２９３
【特許文献２】実用新案登録３１８５２９７
【特許文献３】特開２０００ー７０５９２
【特許文献４】特開２００４ー２４８８６５
【発明の概要】
【発明が解決しようとする課題】
【０００４】
特許文献１の技術は、腕輪部２に腕を通して、洗濯バサミ保管具１を腕に保持する技術である。しかしながら、この技術では、腕輪部２に手の拳を通すため腕輪部２の内径Cが大きくなり、腕に嵌めたとき腕との隙間が大きくなってしまった。この為、腕を下げたときは洗濯バサミ保管具１が手の拳から抜けようとし、腕を上げると上腕の方に移動して不安定であった。
【０００５】
特許文献２の技術も、円筒状の基部２に拳を通し、手首に嵌めて使用する洗濯バサミホルダ１であり、特許文献１と同様の問題があった。
【０００６】
特許文献３の技術も、筒状袋３に拳を通し手首に装着して使用するものであるが、ピンチ保持具１がずり落ちないように、紐５により筒状袋３の開口部を締める技術である。この技術では、洗濯バサミ保持具１を脱着するたびに紐５を締めたり解いたりしなければならず、面倒であった。
【０００７】
特許文献４の技術は、一部が開放された手巻帯２を手首に巻いて、洗濯バサミの保持用具を輪ゴム３で固定するものである。この技術も洗濯バサミ保持具を装着したり外したりするたびに、輪ゴム３を嵌めたり外したりする必要があった。
【０００８】
このように、特許文献１と特許文献２の洗濯バサミ保持具は腕の所望の位置に安定的に装着できなかった。また、特許文献３と特許文献４の洗濯バサミ保持具は、洗濯バサミ保持具に腕を通すだけでなく、付加的に面倒な操作も必要であり、実用的でなかった。
【課題を解決するための手段】
【０００９】
洗濯バサミ保持具であって、外側に環状の洗濯バサミ保持部と、この洗濯バサミ保持部の内側に延在する円板状の取付部とから構成され、この取付部は中央近傍に貫通孔と略放射状のスリットを有して弾性を有する材料で形成され、この洗濯バサミ保持部が取付部に対してオフセットし、弾性によりこの貫通孔の内径が変化可能な洗濯バサミ保持具。
【発明の効果】
【００１０】
上記の問題点を解決し、単一の操作で洗濯バサミ保持具を腕に装着して腕の任意の箇所に安定的に維持でき、同じく単一の操作で外すことができる洗濯バサミ保持具を提供する。
【図面の簡単な説明】
【００１１】
【図１】第一の実施例の洗濯バサミ保持具を示す斜視図である。
【図２】第一の実施例の洗濯バサミ保持具に洗濯バサミを挟んだ状態を示す斜視図である。
【図３】第一の実施例の洗濯バサミ保持具に腕を差し込んだ状態を示す斜視図である。
【図４】第二の実施例の洗濯バサミ保持具を示す斜視図である。
【図５】第一の実施例の洗濯バサミ保持具を示すAは左側面図、右側面図、Bは正面図、背面図、Cは平面図、底面図である。
【図６】Aは第三の実施例の洗濯バサミ保持具の中心を通る断面図、Bは第四の実施例の断面図、Cは第五の実施例の断面図である。
【図７】第六の実施例の洗濯バサミ保持具の斜視図である。
【図８】第七の実施例の洗濯バサミ保持具を示すAは左側面図、右側面図、Bは正面図、背面図、Cは平面図、底面図である。
【図９】第八の実施例の洗濯バサミ保持具の斜視図である。
【図１０】第九の実施例の洗濯バサミ保持具の斜視図である。
【図１１】第九の実施例の洗濯バサミ保持具を示す平面図、左側面図、正面図、EF断面図である。右側面図は左側面図と対称に表れる。背面図は正面図と対称に表れる。底面図は平面図と同一である。フック５１は省略してある。
【図１２】第十の実施例の洗濯バサミ保持具を示す平面図、左側面図、正面図、GH断面図、底面図である。右側面図は左側面図と対称に表れる。背面図は正面図と対称に表れる。
【図１３】第九の実施例、第十の実施例の使用状態を示す洗濯バサミ保持具の正面図である。
【図１４】第十一の実施例の洗濯バサミ保持具を示す平面図、左側面図、正面図、GH断面図、底面図である。右側面図は左側面図と対称に表れる。背面図は正面図と対称に表れる。
【発明を実施するための形態】
【００１２】
洗濯バサミ保持具であって、外側に環状の洗濯バサミ保持部と、この洗濯バサミ保持部の内側に延在する円板状の取付部とから構成され、この取付部は中央近傍に貫通孔と略放射状のスリットを有して弾性を有する材料で形成され、この洗濯バサミ保持部が取付部に対してオフセットし、弾性によりこの貫通孔の内径が変化可能な洗濯バサミ保持具。
【００１３】
洗濯バサミ保持具であって、外側に環状の洗濯バサミ保持部と、この洗濯バサミ保持部の内側に延在する円板状の取付部とから構成され、この取付部は中央近傍に貫通孔と略放射状のスリットを有して弾性を有する材料で形成され、弾性によりこの貫通孔の内径が変化可能であり、直径５０ｍｍのボール紙製の円筒を貫通孔に通した場合の摺動抵抗値が2N以上で10N以下である洗濯バサミ保持具。
【００１４】
洗濯バサミ保持具であって、外側に板状で環状の洗濯バサミ保持部と、この洗濯バサミ保持部の内側に延在する円板状の取付部とから構成され、この取付部は中央近傍に貫通孔と略放射状のスリットを有して弾性を有する材料で形成され、弾性によりこの貫通孔の内径が変化可能であり、直径７０ｍｍのボール紙製の円筒を貫通孔に通した場合の抵抗値が15N以下である洗濯バサミ保持具。
上記の何れかの洗濯バサミ保持具の洗濯バサミ保持部に磁石を設けたことを特徴とする洗濯バサミ保持具。
【実施例】
【００１５】
図１は、第一の実施例の洗濯バサミ保持具１０であり、略環状の洗濯バサミ保持部２０と、その内側に延在する円板状の取付部３０とから構成されている。この実施例では、エラストマーや軟質プラスチック等の弾性材料で一体成形されているが、外側の洗濯バサミ保持部２０を硬質プラスチックで成形し、内側の取付部３０を弾性材料で成形してもよい。中心部には貫通孔４０が開口している。取付部３０には放射状にスリット３１が略等間隔に設けられている。なお、貫通孔４０は必ずしも図のように大きく開口している必要はなく、スリット３１の効果を考慮すれば最小の面積で貫通していれば良い。
【００１６】
スリット３１は、直線状の切れ込み３１Aと、その外側端に円形部３１Bにより構成されている。円形部３１Bは必須ではないが、応力集中を避けて亀裂が入るのを防いでいる。なお、円形部３１Bは完全な円形でなくてもよく、切れ込み３１Aは曲線でも良い。
【００１７】
図２は、洗濯バサミ保持具１０の使用状態を示し、洗濯バサミ保持部２０の外周に洗濯バサミ６０を保持している。
【００１８】
図３は、洗濯バサミ保持具１０に拳を挿入し、手首の位置に装着した状態を示す。取付部３０は、エラストマーのように弾力性のある材料で成形されており、しかもスリット３１が設けられているので貫通孔４０は柔軟に拡大できる。その為、洗濯バサミ保持具１０には拳が容易に挿入でき、手首から上腕部まで腕の任意の位置に装着することができる。また、取付部３０は弾力性を有しているので、適度な力で腕を押圧する為、腕８０を上下に動かしてもずれたりすることがない。
【００１９】
図１に示すように、洗濯バサミ保持具１０の外縁近傍には、係止孔５０が設けられている。係止孔本体５０Aは、楕円又は長穴で長軸が半径方向くるよう配置してある。挿入切れ込み５０Bは、洗濯バサミ保持部２０の外縁から係止孔本体５０Aの下方に至るよう設けられている。図２のように、支持洗濯バサミ７０のバネ７１を挿入切れ込み５０Bに差し込み、係止孔本体５０Aに挿入する。洗濯バサミ７０を、エプロンや衣服等の任意の場所に挟んで使用することもできる。係止孔５０は単なる孔として、紐を通して支持洗濯バサミ７０やフックを連結するようにしてもよい。
【００２０】
図４は、第二の実施例の洗濯バサミ保持具１０であり、洗濯バサミ支持部２０から略軸方向に膨出する円筒状の洗濯バサミ保持部２２を設けたものである。これにより、さらに多数の洗濯バサミ６０を保持することができる。
【００２１】
図６のAは、第三の実施例の洗濯バサミ保持具１０の断面図であり、洗濯バサミ保持部２０は厚く、取付部３０は薄くすることにより、洗濯バサミ保持部２０の剛性を大きくし、取付部３０の剛性は小さくして柔軟性を持たせたものである。
図６のBは、第四の実施例の洗濯バサミ保持具１０の断面図であり、洗濯バサミ保持部２０の外縁にフランジ２３を設け、剛性を上げると共に洗濯バサミを外れ難くしたものである。
図６のCは、第五の実施例の洗濯バサミ保持具１０の断面図であり、洗濯バサミ保持部２０は厚く、取付部３０は薄くするよう漸減させることにより、洗濯バサミ保持部２０の剛性を大きくし、取付部３０の剛性は小さくして柔軟性を持たせたものである。
【００２２】
図７は第六の実施例の洗濯バサミ保持具であり、半径方向の側方開口部５５を設けて、洗濯竿の中央寄りでも半径方向の側方から挿入できるようにしたものである。この実施例は側方開口部５５が開いているため、剛性が落ちないように洗濯バサミ保持部２０の厚さを大きくしている。
【００２３】
図８は第七の実施例の洗濯バサミ保持具であり、外径をハート型にしてデザイン性を向上している。
【００２４】
図９は第八の実施例の洗濯バサミ保持具であり、軸方向洗濯バサミ保持部２２を設けたものである。図１３に示すように、軸方向洗濯バサミ保持部２２を取付部３０に対しオフセットさせて、作業台に置いたり壁や衣服に吊り下げたりしたとき、洗濯バサミ６０を作業台や衣服などから離して、取付・取外しをし易くしたものである。
【００２５】
また、このような形状にすることにより、断面係数を上げて、少ない材料で剛性を確保し、省資源を図るものである。さらに、リブ２４を設け剛性を上げると、洗濯バサミ保持具１０の全体の厚さを薄くできるので一層の省資源を図ることができる。
【００２６】
図１０は第九の実施例の洗濯バサミ保持具であり、軸方向洗濯バサミ保持部２２を斜め外方に傾けたものである。第八の実施例に比べ洗濯バサミ６０をやや外方に拡げることができるので洗濯バサミ６０の取付や取外しが容易となる。
【００２７】
図１２は第１０の実施例の洗濯バサミ保持具であり、軸方向洗濯バサミ保持部２２を斜め外方に向け延在させ、更に半径方向に拡大させたものである。このような形状にすることにより、更に断面係数を上げて、少ない材料で剛性を確保し、省資源を図るものである。
【００２８】
第十一の実施例の洗濯バサミ保持具としては、洗濯バサミ保持部２０をゴム磁石としたり、図１４のように洗濯バサミ保持部２０の円周上に複数の磁石２６を設けたりしてもよい。これらの磁石２６に洗濯バサミ６０の金属バネを付着させて保持することができる。洗濯バサミ保持部２０へ洗濯バサミ６０を近づけるだけで容易に付着させることができ、前実施例のように洗濯バサミ６０を開いて洗濯バサミ保持部２０へ整列させて取り付けるという操作が省略できる。
【００２９】
以上の実施例の洗濯バサミ保持具を腕に装着する場合は、ある一定の力以内で拳を挿入でき、いったん拳を挿入後はある一定以上の力で手首に保持され、一定以内の力で摺動できる必要があり、これらの力のバランスを取る必要がある。これらの力を決定するため、日本人の標準的な拳の大きさを幅７０ｍｍ、手首の大きさを幅５０ｍｍとして測定した。
【００３０】
これらを測定するため、ボール紙を直径７０ｍｍの円筒に丸めて拳とし、同じく直径５０ｍｍの円筒に丸めて手首として、洗濯バサミ保持具を挿入して摺動抵抗の適値を測定した。表１、表２
【００３１】
【表１】
2018057562.tif 000003
【表２】
2018057562.tif 000004
【００３２】
この結果、手首の摺動抵抗としては、2N以上、10N以下が必要であり、拳の摺動抵抗としては１５N以下が適値であることが判った。
【産業上の利用可能性】
【００３３】
この発明の洗濯バサミ保持具は、洗濯物を干す場合だけでなく、事務用クリップ等を挟んで作業する場合にも利用が可能である。
【符号の説明】
【００３４】
１０は洗濯バサミ保持具
２０は洗濯バサミ保持部
２２は軸方向洗濯バサミ保持部
２３はフランジ
２４はリブ
２６は磁石
３０は取付部
３１はスリット
３１Aは切れ込み
３１Bは円形部
４０は貫通孔
５０は係止孔
５５は側方開口部
５１はフック
５０Aは係止孔本体
５０Bは挿入切れ込み
６０は洗濯バサミ
７０は支持洗濯バサミ
７１はバネ
８０は腕
【図１】
2018057562.tif 000005
【図２】
2018057562.tif 000006
【図３】
2018057562.tif 000007
【図４】
2018057562.tif 000008
【図５】
2018057562.tif 000009
【図６】
2018057562.tif 000010
【図７】
2018057562.tif 000011
【図８】
2018057562.tif 000012
【図９】
2018057562.tif 000013
【図１０】
2018057562.tif 000014
【図１１】
2018057562.tif 000015
【図１２】
2018057562.tif 000016
【図１３】
2018057562.tif 000017
【図１４】
2018057562.tif 000018